(57)【要約】【課題】雄型端子の挿入に伴って可動する可動接続片を有する雌型端子を回路基板に半田付けする際、溶融半田の流れ込みによる可動接続片の固着を防止し、雄型端子の挿入の安定化を図ることができる雌型端子の固定構造を提供する。【解決手段】雌型端子５５には、雄型端子１７の挿入に伴う可動にて弾性力を得てその雄型端子１７と押圧接触する板ばね部６１（可動接続片）と、回路基板５１に半田付けにて固定する爪部６２（固定部）が備えられ、この爪部６２と板ばね部６１との間には、爪部６２から板ばね部６１に向かう溶融半田６５の流動を抑制するための窓部６３及び切り起こし片６４が設けられる。【選択図】図２
2009093956.tif 000002
【特許請求の範囲】
【請求項１】
雄型端子の挿入に伴う可動にて弾性力を得てその雄型端子と押圧接触する可動接続片と、回路基板に半田付けにて固定するための固定部とを有する雌型端子の固定構造であって、
前記固定部と前記可動接続片との間に、前記固定部から前記可動接続片に向かう溶融半田の流動抑制のための流動抑制部が設けられたことを特徴とする雌型端子の固定構造。
【請求項２】
請求項１に記載の雌型端子の固定構造において、
前記流動抑制部は、前記固定部と前記可動接続片とを結ぶ最短直線上に少なくとも配置されたことを特徴とする雌型端子の固定構造。
【請求項３】
請求項１又は２に記載の雌型端子の固定構造において、
前記流動抑制部は、前記雌型端子に一体形成される窓部又は突出部であることを特徴とする雌型端子の固定構造。
【請求項４】
請求項３に記載の雌型端子の固定構造において、
前記雌型端子に設けた切り起こし片の前記可動接続片側への折り曲げにより、前記窓部及び前記突出部の両者が形成されたことを特徴とする雌型端子の固定構造。
【請求項５】
請求項１〜４のいずれか１項に記載の雌型端子の固定構造において、
前記固定部は複数であり、前記流動抑制部はその複数の前記固定部と対応して設けられたことを特徴とする雌型端子の固定構造。
【請求項６】
請求項１〜５のいずれか１項に記載の雌型端子の固定構造において、
前記固定部は、前記回路基板に設けた取付け孔を挿通する爪部であり、前記回路基板の挿通後の裏面側にてその爪部に対して半田付けされるものであることを特徴とする雌型端子の固定構造。
【請求項７】
モータ部にその駆動を制御する駆動回路装置が一体に備えられてなるものであり、前記モータ部側に備えられる雄型端子と、前記駆動回路装置を構成する回路基板上に備えられる雌型端子との接続により前記モータ部と前記駆動回路装置とが電気的に接続される構成のモータ装置であって、
前記雌型端子は、請求項１〜６のいずれか１項に記載の固定構造を以て前記回路基板上に固定されたことを特徴とするモータ装置。
【発明の詳細な説明】
【技術分野】
【０００１】
本発明は、雄型端子の挿入に伴って可動しその雄型端子と押圧接触する可動接続片と、回路基板に半田付けにて固定するための固定部とを有する雌型端子の固定構造、及び、その雌型端子を有する回路基板を一体に備えてなるモータ装置に関するものである。
【背景技術】
【０００２】
回路基板に雌型端子を固定する場合、例えば特許文献１にて開示されているように、その雌型端子に設けた爪部を回路基板の取付け孔に挿通させ、挿通後の裏面において爪部を半田付けして固定する固定構造が一般に多く採用されている。
【０００３】
ところで、特許文献１で開示されている雌型端子のように、雄型端子と押圧接触して電気的接続を確実にしつつ雄型端子の嵌挿を容易とする目的で雌型端子に板ばね部が設けられているものがある。
【特許文献１】特開２００７−８９２６７号公報
【発明の開示】
【発明が解決しようとする課題】
【０００４】
しかしながら、上記した特許文献１の雌型端子のように、板ばね部の自由端側が爪部近傍に位置する構成の場合、回路基板の裏面にて半田付けする際の溶融した半田は、回路基板の取付け孔内や雌型端子の本体側まで回り込むが、場合によっては雌型端子を伝って板ばね部の自由端側まで到達する虞がある。
【０００５】
このように板ばね部の自由端側まで半田が到達すると、その半田にて板ばね部の自由端側が固着されてしまって板ばね部の弾性変形が阻害される虞があり、この場合、雄型端子の挿入が困難となる事態が生じてしまう。
【０００６】
本発明は、上記課題を解決するためになされたものであって、その目的は、雄型端子の挿入に伴って可動する可動接続片を有する雌型端子を回路基板に半田付けする際、溶融半田の流れ込みによる可動接続片の固着を防止し、雄型端子の挿入の安定化を図ることができる雌型端子の固定構造、及び、その雌型端子を有する回路基板を一体に備えてなるモータ装置を提供することにある。
【課題を解決するための手段】
【０００７】
上記課題を解決するために、請求項１に記載の発明は、雄型端子の挿入に伴う可動にて弾性力を得てその雄型端子と押圧接触する可動接続片と、回路基板に半田付けにて固定するための固定部とを有する雌型端子の固定構造であって、前記固定部と前記可動接続片との間に、前記固定部から前記可動接続片に向かう溶融半田の流動抑制のための流動抑制部が設けられたことをその要旨とする。
【０００８】
この発明では、雌型端子には、雄型端子の挿入に伴う可動にて弾性力を得てその雄型端子と押圧接触する可動接続片と、回路基板に半田付けにて固定するための固定部とが備えられ、この固定部と可動接続片との間に流動抑制部が設けられる。そして、雌型端子の固定部に半田付けを行う際、固定部と可動接続片との間に設けた流動抑制部により、その固定部から可動接続片に向かう溶融半田の流動が抑制される。これにより、溶融半田の流れ込みにより可動接続片が固着状態となることが防止され、雄型端子の挿入に伴う可動接続片の弾性変形が阻害されることが未然に防止される。
【０００９】
請求項２に記載の発明は、請求項１に記載の雌型端子の固定構造において、前記流動抑制部は、前記固定部と前記可動接続片とを結ぶ最短直線上に少なくとも配置されたことをその要旨とする。
【００１０】
この発明では、流動抑制部は、雌型端子の固定部と可動接続片とを結ぶ最短直線上に少なくとも配置される。これにより、固定部から可動接続片に向かう溶融半田の流動が効果的に抑制できる。
【００１１】
請求項３に記載の発明は、請求項１又は２に記載の雌型端子の固定構造において、前記流動抑制部は、前記雌型端子に一体形成される窓部又は突出部であることをその要旨とする。
【００１２】
この発明では、流動抑制部は、窓部又は突出部であって雌型端子に一体形成されるため、別部品を必要とせず、しかも窓部や突出部といった簡単な構成で対応できる。
請求項４に記載の発明は、請求項３に記載の雌型端子の固定構造において、前記雌型端子に設けた切り起こし片の前記可動接続片側への折り曲げにより、前記窓部及び前記突出部の両者が形成されたことをその要旨とする。
【００１３】
この発明では、雌型端子に設けた切り起こし片の可動接続片側への折り曲げにより、切り起こし片そのものが突出部となると共に、その切り起こしによる開口が窓部となって形成される。これにより、窓部及び突出部の両者により溶融半田の流動がより効果的に抑制でき、しかも雌型端子の一部を切り起こすだけでその両者を容易に形成できる。
【００１４】
請求項５に記載の発明は、請求項１〜４のいずれか１項に記載の雌型端子の固定構造において、前記固定部は複数であり、前記流動抑制部はその複数の前記固定部と対応して設けられたことをその要旨とする。
【００１５】
この発明では、雌型端子の固定部が複数の場合、流動抑制部はその複数の固定部と対応して設けられる。即ち、雌型端子の各固定部に合った流動抑制部を個々に形成でき、溶融半田の流動を効果的に抑制しつつ、流動抑制部の小型化を図ることが可能である。
【００１６】
請求項６に記載の発明は、請求項１〜５のいずれか１項に記載の雌型端子の固定構造において、前記固定部は、前記回路基板に設けた取付け孔を挿通する爪部であり、前記回路基板の挿通後の裏面側にてその爪部に対して半田付けされるものであることをその要旨とする。
【００１７】
この発明では、雌型端子は、回路基板に設けた取付け孔を挿通する爪部を固定部として備え、回路基板の挿通後の裏面側にてその爪部に対して半田付けされて回路基板に固定される。この構成の雌型端子では、回路基板を挿通した裏面側の爪部に半田付けされることからその爪部から可動接続片への溶融半田の流動が生じ難いため、このような構成の雌型端子に対して流動抑制部を設けることで、溶融半田の流れ込みにより可動接続片が固着状態となることをより確実に防止できる。
【００１８】
請求項７に記載の発明は、モータ部にその駆動を制御する駆動回路装置が一体に備えられてなるものであり、前記モータ部側に備えられる雄型端子と、前記駆動回路装置を構成する回路基板上に備えられる雌型端子との接続により前記モータ部と前記駆動回路装置とが電気的に接続される構成のモータ装置であって、前記雌型端子は、請求項１〜６のいずれか１項に記載の固定構造を以て前記回路基板上に固定されたことをその要旨とする。
【００１９】
この発明では、回路基板への雌型端子の半田付けによる固定の際に、溶融半田の流れ込みによる雌型端子の可動接続片の固着が防止されることから、雄型端子を有するモータ部と、その雌型端子を有する駆動回路装置との電気的接続がスムーズに行われる。
【発明の効果】
【００２０】
本発明によれば、雄型端子の挿入に伴って可動する可動接続片を有する雌型端子を回路基板に半田付けする際、溶融半田の流れ込みによる可動接続片の固着が防止され、雄型端子の挿入の安定化を図ることができる雌型端子の固定構造、及び、その雌型端子を有する回路基板を一体に備えてなるモータ装置を提供することができる。
【発明を実施するための最良の形態】
【００２１】
以下、本発明を具体化した一実施形態を図面に従って説明する。
図１に、本実施形態にかかるアクチュエータ１の軸方向断面図を示す。本実施形態のアクチュエータ１は、車両用ヘッドライト装置（図示略）に備えられ、ヘッドライトの光軸調整を行うものである。アクチュエータ１は、モータ部１０と、該モータ部１０の駆動力によって駆動される出力部３０と、前記モータ部１０の駆動を制御する駆動回路部４０とを備えて構成されている。
【００２２】
まず、モータ部１０について説明する。本実施形態のモータ部１０は、ステッピングモータである。モータ部１０を構成するモータハウジング１１は、その側壁１１ａに切欠き部１１ｂを有する有底円筒状をなしている。モータハウジング１１の開口部には、合成樹脂製のハウジングカバー１２が設けられており、モータ部１０はこのハウジングカバー１２に対して固定されている。
【００２３】
モータハウジング１１の内周面には、円環状をなすステータ１３が固定されている。ステータ１３を構成する２つのステータコア１４は、軸方向に並んで配置され、径方向に沿って切った断面の形状がそれぞれコの字状をなしている。各ステータコア１４が構成するコの字の内側には、絶縁性の合成樹脂よりなると共に、径方向に沿って切った断面形状がコの字状をなすコイルボビン１５が配置されている。各コイルボビン１５が構成するコの字の内側には、当該コイルボビン１５に対して巻回された巻線１６が収容されている。巻線１６は、駆動電流が供給されると、回転磁界を発生する。
【００２４】
コイルボビン１５において、前記モータハウジング１１の切欠き部１１ｂと対応する位置には、導電性を有する金属材料よりなり略短冊状をなす複数本の雄型端子１７の基端部が固定されている。各雄型端子１７は、その基端部付近でクランク状に２回折り曲げられることにより軸方向に沿って延びる部分を有しているが、その先端部側は、後述するロータ２１の回転軸２２の回転軸線Ｌ１を含む平面Ｓ１に対して垂直となる方向に沿って延びている。尚、図１において、平面Ｓ１は、紙面に対して垂直となる面である。そして、各雄型端子１７の先端部は、モータハウジング１１の切欠き部１１ｂから同モータハウジング１１の外方に向かって突出している。これら各雄型端子１７には、前記巻線１６の端部がかしめにより固定され、これにより雄型端子１７と巻線１６とが電気的に接続されている。
【００２５】
ステータ１３の径方向内側には、ロータ２１が、モータハウジング１１に対して回転可能に配設されている。ロータ２１を構成する回転軸２２には、その径方向中央部に、軸方向に沿って貫通した挿入孔２２ａが形成されている。この回転軸２２は、モータハウジング１１の底部１１ｃの径方向中央部に配設された軸受２３と、前記ハウジングカバー１２における軸受２３と軸方向に対向する位置に配設された軸受２４とによって軸支されている。そして、回転軸２２の外周面には、着磁が施された略円筒状のマグネット２５が固定されている。また、回転軸２２の内周面、即ち挿入孔２２ａを構成する面において、ハウジングカバー１２寄りの位置には、螺子部２２ｂが形成されている。このようなロータ２１は、巻線１６にて発生される回転磁界によって回転される。
【００２６】
次に、出力部３０について説明する。出力部３０を構成する出力軸３１は、軸方向の約半分が前記挿入孔２２ａ内に収容されている。そして、出力軸３１において挿入孔２２ａ内に収容された部分の外周面には、前記螺子部２２ｂと螺合する螺子部３１ａが形成されている。一方、出力軸３１において挿入孔２２ａ内に収容されていない部分は、ハウジングカバー１２に形成された貫通孔１２ａからモータ部１０の外部に向かって突出している。そして、出力軸３１においてモータ部１０の外部に向かって突出した部分には、該出力軸３１に対して周方向に回転不能且つ抜脱不能に出力軸カバー３２が装着されている。出力軸３１の先端は、出力軸カバー３２を介して前記車両用ヘッドライト装置と連結される。尚、出力軸カバー３２のモータ部１０側の端部には、径方向外側に向かって延びる鍔部３２ａが形成されている。
【００２７】
前記貫通孔１２ａの周縁部には、出力軸カバー３２の外周部を囲むような略筒状の収容部３３が形成されている。この収容部３３により、出力軸カバー３２は、該収容部３３に対する周方向の回転が不能となるように、且つ軸方向の移動が許容されるように保持されている。そして、この収容部３３の先端側には、抜け止めリング３４が取着されている。
【００２８】
このような出力部３０では、ロータ２１が回転すると、ロータ２１の回転方向に応じて、回転軸２２に形成された螺子部２２ｂと螺合する螺子部３１ａを有する出力軸３１が該出力軸３１の軸方向に沿って移動される。尚、出力軸３１が突出する方向に移動される場合には、出力軸３１が所定距離だけ移動したところで、鍔部３２ａが抜け止めリング３４に当接し、それ以上の出力軸３１の同方向への移動が規制される。
【００２９】
次に、駆動回路部４０について説明する。駆動回路部４０を構成する回路部側ハウジング４１は、合成樹脂よりなり、モータハウジング１１の切欠き部１１ｂを閉塞するように配置されている。回路部側ハウジング４１は、回転軸２２の回転軸線Ｌ１を含む平面Ｓ１に対して垂直となる方向から見た形状が四角形状をなす回路収容部４２を有し、図示しない箇所にコネクタ部が一体に形成されている。尚、このコネクタ部は、車両のバッテリ（図示略）から電源供給を受け、駆動回路部４０を介して前記モータ部１０に回転駆動のための駆動電流を供給する。
【００３０】
回路収容部４２には、モータ部１０の径方向外側に向かって開口（前記平面Ｓ１と垂直方向に開口）する断面矩形状の回路収容凹部４３が凹設されており、該収容凹部４３及び前記ハウジングカバー１２に跨って形成される開口部は、後述の駆動回路装置５０の収容後に前記平面Ｓ１と平行に配設される蓋部４４にて閉塞される。回路収容凹部４３の底部には、該収容凹部４３の開口方向と同方向に開口する断面正方形状の端子収容凹部４５が形成されている。各端子収容凹部４５には、底部の挿通孔４５ａを介して前記雄型端子１７がそれぞれ挿入されている。
【００３１】
回路収容部４２の側壁４６には、回路収容凹部４３の開口部からの板厚を薄くすることにより側壁４６内側面の高さ方向中間位置に位置決め段部４６ａが形成されている。因みに、前記ハウジングカバー１２と当接する側の側壁４６は、回路収容凹部４３の開口側端面が位置決め段部４６ａと同じ高さで形成されている。このような位置決め段部４６ａ上には、駆動回路装置５０の回路基板５１が配置され、該回路基板５１の収容凹部４３内での位置決めがなされる。これにより、位置決め段部４６ａ上に配置された駆動回路装置５０の回路基板５１は、前記平面Ｓ１と平行となるように位置決めされて装着される。
【００３２】
回路収容部４２に収容される駆動回路装置５０は、前記モータ部１０の駆動を制御すべく通電を制御するものである。駆動回路装置５０の回路基板５１は、前記回路収容凹部４３に応じた矩形板状をなしている。この回路基板５１上には、モータ部１０の駆動を制御するための、即ち前記巻線１６への通電を制御するための複数の回路素子５２が実装されている。また、回路基板５１は、外部からの電源供給を受けるための図示しない前記コネクタ部と電気的に接続されると共に、該基板５１を位置決め段部４６ａ上に位置決め配置した際に前記雄型端子１７と対向する位置には、それぞれ雌型端子５５が回路基板５１に対して垂直となるように直立されている。これらの雌型端子５５に雄型端子１７がそれぞれ挿入されることにより、駆動回路装置５０とモータ部１０とが電気的に接続される。
【００３３】
ここで、雌型端子５５について図２（ａ）〜（ｄ）を参照しつつ詳述する。
雌型端子５５は、導電性を有する一枚の金属板材を折り曲げ加工して形成されている。雌型端子５５は、４つの側壁部５６〜５９により矩形筒形状をなす筒部６０を有している。筒部６０の下端面、即ち回路基板５１側の端面は、平らに形成されている。尚、筒部６０は、前記端子収容凹部４５に挿入可能な太さに形成されている（図１参照）。また、対向する側壁部５６，５８間の寸法が雄型端子１７の厚さよりも長いと共に、対向する側壁部５７，５９間の寸法が雄型端子１７の幅よりも十分長くなっている。
【００３４】
図２（ｂ）に示すように、互いに対向する１組の側壁部５７，５９の先端部（回路基板５１とは反対側端部）には、面取りされた形状のガイド面５７ａ，５９ａが設けられている。ガイド面５７ａ，５９ａは、平面状をなしている。また、別の組の側壁部５６，５８には、図２（ａ）に示すように、その上端部から筒部６０の内部に向かって折り返されると共に基端部側まで延設された板ばね部６１がそれぞれ形成されている。各板ばね部６１は、側方視で略く字状をなし、そのく字状の突出する部分に接触凸部６１ａがそれぞれ形成されている。各板ばね部６１の自由端である先端部６１ｂは、各側壁部５６，５８の内側に凸状をなす凸設部５６ａ，５８ａと接触している。これら２つの板ばね部６１は、雌型端子５５の先端側から雄型端子１７が筒部６０内に挿入されると、当該雄型端子１７をその弾性力を以て各接触凸部６１ａにおいて挟持する。
【００３５】
また、図２（ａ）〜（ｃ）に示すように、板ばね部６１を有する側の側壁部５６，５８の基端部には、その端面から側壁部５６，５８の延設方向と反対方向に延びる爪部６２が各側壁部５６，５８において２つずつ形成されている。爪部６２は、合計４つであり（図２（ａ）（ｂ）では２つのみ図示）、矩形筒形状をなす筒部６０の各角部近傍となるように各側壁部５６，５８において２つが互いに所定間隔を有して配置されている。これに対し、前記回路基板５１には、雌型端子５５を回路基板５１に対して組付ける際に各爪部６２が挿通される４つの取付け孔５１ａ（図２（ａ）では２つのみ図示）が該基板５１の板厚方向に貫通して形成されている。
【００３６】
また、各側壁部５６，５８の基端部の各爪部６２近傍には、それぞれ該爪部６２の幅寸法と同等の正方形状をなす窓部６３がそれぞれ該側壁部５６，５８の板厚方向に貫通形成され、１つの雌型端子５５において合計４つ設けられている。各窓部６３は、各爪部６２の延設方向の反対方向に向かう直線上、この場合、各爪部６２と前記板ばね部６１とを結ぶ最短直線上に配置されている。この窓部６３は、側壁部５６，５８の基端側の一辺を残した正方形状の切り起こし片６４を筒部６０の内側に略直角に折り曲げることにより形成されている。
【００３７】
上記のように構成された雌型端子５５は、筒部６０の基端端面が回路基板５１に当接するように該基板５１の各取付け孔５１ａに各爪部６２が挿通され、裏面側にて互いに向き合うように折り曲げられて回路基板５１に対して取着される。そして、雌型端子５５は、回路基板５１の裏面側にて折り曲げられた各爪部６２が半田６５にて電気・機械的に固定され、回路基板５１の垂直方向に直立状態で固定される。
【００３８】
また、この半田付け時において、回路基板５１の裏面側から溶融した半田６５が毛細管現象等の作用により、該基板５１の取付け孔５１ａ内や雌型端子５５の本体である筒部６０側まで回り込む。この場合、各爪部６２に対応する位置にそれぞれ設けられた窓部６３により、溶融した半田６５のそれ以上の流動が抑制される。また、板ばね部６１が設けられる内側には切り起こし片６４が折り曲げられて突出することからも、溶融した半田６５のそれ以上の流動がその両者にてより確実に抑制される。つまり、窓部６３及び切り起こし片６４は、爪部６２から板ばね部６１に向かう溶融半田６５の流動を抑制する流動抑制部として機能する。こうして、板ばね部６１の先端部６１ｂへの溶融した半田６５の流れ込みが抑制されることで、雄型端子１７の挿入に伴う板ばね部６１の弾性変形が阻害されることが未然に防止される。特に本実施形態のように、板ばね部６１と側壁部５６，５８（凸設部５６ａ，５８ａ）とが接触状態にあると、その両者間に毛細管現象による溶融半田６５の流入がより生じ易いことから、窓部６３及び切り起こし片６４により溶融半田６５の流動を抑制する意義は大きい。
【００３９】
そして、図１に示すように、上記のように構成された駆動回路装置５０を回路部側ハウジング４１に装着する際、雌型端子５５側がモータ部１０側に向くように駆動回路装置５０が回路収容凹部４３内に挿入される。この時、駆動回路装置５０の回路基板５１は、回転軸２２の回転軸線Ｌ１を含む平面Ｓ１と平行となるように挿入されるが、これは即ち、雌型端子５５と雄型端子１７との接続方向（雄型端子１７の雌型端子５５への挿入方向）であり、駆動回路装置５０の回路収容凹部４３内への挿入と同時に両端子１７，５５間の接続も行われる。この場合、雌型端子５５は、その板ばね部６１が雄型端子１７の挿入に伴って可動することで該雄型端子１７と押圧接触するようになっているが、上記のように雌型端子５５の半田付け時の半田６５の流れ込みにより板ばね部６１が固着状態となることか防止されることから、製品毎の雄型端子１７の挿入は安定したものとなっている。そして、駆動回路装置５０の回路基板５１が回路収容凹部４３内の位置決め段部４６ａに当接するように配置され、前記平面Ｓ１と平行に配置される。その後、回路収容凹部４３の開口部が蓋部４４によって閉塞され、駆動回路部４０がモータ部１０に対して一体に組み付けられる。
【００４０】
次に、本実施形態の特徴的な作用効果を記載する。
（１）本実施形態では、駆動回路装置５０側に備えられる雌型端子５５には、モータ部１０側の雄型端子１７の挿入に伴う可動にて弾性力を得てその雄型端子１７と押圧接触する可動接続片としての板ばね部６１と、回路基板５１に半田付けにて固定する固定部としての爪部６２とが備えられている。雌型端子５５のこの爪部６２と板ばね部６１との間には、爪部６２から板ばね部６１に向かう溶融半田６５の流動を抑制するための窓部６３及び切り起こし片６４が設けられている。そのため、雌型端子５５の爪部６２に半田付けを行う際、爪部６２と板ばね部６１との間に設けた窓部６３及び切り起こし片６４のそれぞれにより、爪部６２から板ばね部６１に向かう溶融半田６５の流動が抑制される。これにより、溶融半田６５の流れ込みにより板ばね部６１が固着状態となることが防止され、雄型端子１７の挿入に伴う板ばね部６１の弾性変形が阻害されることを未然に防止でき、雄型端子１７の挿入の安定化を図ることができる。またこれにより、雄型端子１７を有するモータ部１０と、その雌型端子５５を有する駆動回路装置５０との電気的接続をスムーズに行うことができる。
【００４１】
（２）本実施形態で用いる雌型端子５５では、溶融半田６５の流動を抑制する窓部６３及び切り起こし片６４が爪部６２と板ばね部６１とを結ぶ最短直線上に配置されている。これにより、爪部６２から板ばね部６１に向かう溶融半田６５の流動を効果的に抑制することができる。
【００４２】
（３）本実施形態で用いる雌型端子５５では、筒部６０に設けた切り起こし片６４の筒部６０内側（板ばね部６１側）への折り曲げにより、切り起こし片６４そのものが溶融半田６５の流動を抑制する突出部となると共に、その切り起こしによる開口が同じく溶融半田６５の流動を抑制する窓部６３となる。これにより、窓部６３及び切り起こし片６４の両者により溶融半田６５の流動がより効果的に抑制でき、しかも雌型端子５５の一部を切り起こすだけでその両者を容易に形成できる。更に、この窓部６３及び切り起こし片６４は雌型端子５５に一体形成されることから、別部品を必要とせず、しかもこのような簡単な構成で対応することができる。
【００４３】
（４）本実施形態で用いる雌型端子５５では、窓部６３及び切り起こし片６４がそれぞれ爪部６２と対応して設けられている。即ち、雌型端子５５の各爪部６２に合った窓部６３及び切り起こし片６４を個々に形成でき、溶融半田６５の流動を効果的に抑制しつつ、これら窓部６３及び切り起こし片６４の小型化を図ることが可能である。
【００４４】
（５）本実施形態で用いる雌型端子５５では、回路基板５１に設けた取付け孔５１ａを挿通する爪部６２を固定部として備え、回路基板５１の挿通後の裏面側にてその爪部６２に対して半田付けされて回路基板５１に固定されている。この構成の雌型端子５５では、回路基板５１を挿通した裏面側の爪部６２に半田付けされることからその爪部６２から板ばね部６１への溶融半田６５の流動が生じ難いため、このような構成の雌型端子５５に対して溶融半田６５の流動を抑制する窓部６３及び切り起こし片６４を設けることで、溶融半田６５の流れ込みにより板ばね部６１が固着状態となることをより確実に防止することができる。
【００４５】
尚、本発明の実施形態は、以下のように変更してもよい。
・上記実施形態では、半田付けが行われる爪部６２と板ばね部６１との間に切り起こし片６４の内側への折り曲げにて窓部６３を形成し、その両者にて溶融半田６５の板ばね部６１側への流動を抑制したが、これに限らず、例えば図３（ａ）（ｂ）に示すように、単に窓部６３を打ち抜いて形成してもよい。この窓部６３だけでも、溶融半田６５の板ばね部６１側への流動が抑制可能である。また、窓部６３の形状や数、位置の適宜変更や、更には窓部６３を設けない構成として、切り起こし片６４相当の突出部の打ち出しや折り曲げ、別部材の取り付けにより設ける等、適宜変更してもよい。
【００４６】
また、雌型端子５５における窓部６３や切り起こし片６４以外の部位の形状を適宜変更してもよい。例えば、雌型端子５５を半田付けにより固定する固定部として、矩形筒形状の筒部６０の角部近傍にそれぞれ爪部６２を全体で４つ設けたが、爪部６２の形状や数、位置を適宜変更してもよく、例えば爪部６２を対角の１組のみとして全体で２つとしてもよい。また、雌型端子５５の固定部として回路基板５１の取付け孔５１ａに挿入する爪部６２を用いているが、例えば折り曲げ片等、回路基板５１の取付け孔５１ａに挿入しない態様に変更してもよい。また、板ばね部６１を２つ備えているが、例えば１つであってもよい。
【００４７】
・上記実施形態では、モータ部１０と、モータ部１０の回転運動を直動運動に変換する出力部３０と、モータ部１０を駆動制御する駆動回路部４０とを一体に構成したアクチュエータ１に適用したが、これに限らず、例えば、モータ部と駆動回路部とで構成され、両者間で雄型端子及び雌型端子による接続態様を有するモータ装置に適用してもよい。また、モータ部と駆動回路部との間の雌型端子による接続以外で、雌型端子を回路基板に固定する態様のもの全般に適用してもよい。
【図面の簡単な説明】
【００４８】
【図１】本実施形態におけるアクチュエータの断面図である。
【図２】（ａ）〜（ｄ）は本実施形態で用いる雌型端子を説明するための図である。
【図３】（ａ）（ｂ）は別例における雌型端子を説明するための図である。
【符号の説明】
【００４９】
１０…モータ部、１７…雄型端子、５０…駆動回路装置、５１…回路基板、５１ａ…取付け孔、５５…雌型端子、６１…板ばね部（可動接続片）、６２…爪部（固定部）、６３…窓部（流動抑制部）、６４…切り起こし片（流動抑制部及び突出部）、６５…半田。
【図１】
2009093956.tif 000003
【図２】
2009093956.tif 000004
【図３】
2009093956.tif 000005